(57)【要約】      （修正有）【課題】精確に作動する、印刷ヘッド用の調整装置を提供する。【解決手段】印刷ヘッド２を調整する装置は、ホルダ３と、テーパ部７を有するねじ４と、を備え、ねじ４は、ホルダ３内に螺入されており、印刷ヘッド２は、テーパ部７に当て付けられている。ばね１６が設けられていて、ホルダ３とねじ４との間のねじ山の遊びが低減されるようになっており、係止装置９が設けられていて、ねじ４を回す際のステップ幅が決定されるようになっている。【選択図】図３
0003221875.tif 000002
【実用新案登録請求の範囲】
【請求項１】
印刷ヘッド（２）を調整する装置であって、
ホルダ（３）と、
テーパ部（７）を有するねじ（４）と、
を備え、前記ねじ（４）は、前記ホルダ（３）内に螺入されており、前記印刷ヘッド（２）は、前記テーパ部（７）に当て付けられている、装置において、
ばね（１４，１６）が設けられていて、前記ホルダ（３）と前記ねじ（４）との間のねじ山の遊びが低減されるようになっており、係止装置（９）が設けられていて、前記ねじ（４）を回す際のステップ幅が決定されるようになっている
ことを特徴とする、印刷ヘッド（２）を調整する装置。
【請求項２】
前記ねじ（４）の頭部（８）が、前記係止装置（９）の係止ディスクを形成していることを特徴とする、請求項１記載の装置。
【請求項３】
前記係止装置（９）は、前記ねじ（４）と軸平行に延在する溝（１０）を有することを特徴とする、請求項１または２記載の装置。
【請求項４】
前記ばね（１６）は、前記ねじ（４）に関して軸方向に作用することを特徴とする、請求項１から３までのいずれか１項記載の装置。
【請求項５】
前記ばね（１６）は、前記ねじ（４）に嵌められていることを特徴とする、請求項４記載の装置。
【請求項６】
前記ばね（１４）は、前記ねじ（４）に対して半径方向に作用することを特徴とする、請求項１から３までのいずれか１項記載の装置。
【請求項７】
前記ホルダ（３）は、前記ばね（１４）により付勢されているクランプブッシュ（１２）を有することを特徴とする、請求項６記載の装置。
【考案の詳細な説明】
【技術分野】
【０００１】
本考案は、印刷ヘッドを調整する装置であって、ホルダと、テーパ部を有するねじと、を備え、ねじは、ホルダ内に螺入されており、印刷ヘッドは、テーパ部に当て付けられている、装置に関する。
【０００２】
印刷ヘッドの列を有する印刷バーでは、これらの印刷ヘッドを相互に調整しなければならない。そのために、テーパ部を有するねじをそれぞれ備える調整装置が用いられる。テーパ部に、各々の印刷ヘッドが、直接にまたは中間部材を介して間接に当て付けられている。テーパ部は、楔型押圧伝動装置を形成し、この伝動装置は、ねじの軸方向の運動をその運動に対して半径方向の、印刷ヘッドの運動へと変換する。
【０００３】
米国特許出願公開第２００９／０１４７０４８号明細書（US 2009/0147048 A1）において、そのような調整装置が記載されている。その精度は、ねじ山の遊び、つまりねじの雄ねじ山とホルダの雌ねじ山との間の遊びにより損なわれる。
【０００４】
さらに、ねじ回しが無段階に行われるので、ユーザが調整時に過剰制御または過少制御をいつも回避することができるとは限らないほどに精度が損なわれている。
【０００５】
本考案の課題は、精確に作動する、印刷ヘッド用の調整装置を提供することである。
【０００６】
この課題は、印刷ヘッドを調整する装置であって、ホルダと、テーパ部を有するねじと、を備え、ねじは、ホルダ内に螺入されており、印刷ヘッドは、テーパ部に当て付けられている、装置により解決される。本考案に係る装置は、ばねが設けられていて、ホルダとねじとの間のねじ山の遊びが低減されるようになっており、係止装置が設けられていて、ねじを回す際のステップ幅が決定されるようになっていることを特徴とする。
【０００７】
本考案に係る装置は、極めて精確に作動する。というのも、ばねにより、ねじの雄ねじ山とホルダの雌ねじ山との間の遊びが補整されるからである。
【０００８】
ばねの付加的な利点は、不意のねじ回しに対するねじの固定装置としての作用にある。ばねにより、ねじ山の摩擦が高められ、これによりねじが制動されるので、ねじは、それ自体が自然と回動し得ることはない。
【０００９】
予想を超えて、係止装置により実現される、歩進的なまたはステップ式のねじ回しにより、従来技術における無段階のねじ回しよる調整よりも、より精確な調整が可能である。係止装置は、手動の操作に際して、係止ステップごとに触知可能な応答を有する極めて精密な調整運動を伝達できることをもたらす。これにより、過剰制御および過少制御が確実に回避される。
【００１０】
たいていの用途では、ばねおよび係止装置である２つの技術的構成手段うちの１つだけで、必要とされる調整精度を保証するのに十分であり得る。
【００１１】
様々な改良形態が実現可能である。
【００１２】
ねじの頭部は、係止装置の係止ディスクを形成してよい。
【００１３】
係止装置は、ねじと軸平行に延在する溝を有してよい。
【００１４】
ばねは、ねじに対して軸方向に作用するように、配置されていてよい。
【００１５】
そのために、ばねは、ねじに嵌められていてよい。
【００１６】
別の改良形態によれば、ばねは、ねじに対して半径方向に作用するように、配置されている。
【００１７】
そのためにホルダは、ばねにより付勢されているクランプブッシュを有してよい。
【００１８】
改良形態は、実施の形態の以下の説明および付属の図面の記載から明らかである。
【図面の簡単な説明】
【００１９】
【図１】インクジェット用の印刷バーを備える印刷機を示す。
【図２】印刷バーの印刷ヘッドおよび印刷ヘッド用の調整装置の第１の実施の形態を示す。
【図３】印刷ヘッドおよび調整装置の第２の実施の形態を示す。
【００２０】
図１は、紙または厚紙から成る被印刷物に基づくインクジェット印刷用の複数の印刷バー１を備える印刷機を示している。被印刷物は、シートの形態を有してよいが、ウェブの形態を有してもよい。これらの印刷バー１は、同一構造を有するので、１つの印刷バー１についてのみ説明すればよい。印刷バー１は、一列に並んだ複数の印刷ヘッド２を有し、その列は、図１の図平面に対して垂直に延在する。印刷ヘッド２の列は、被印刷物の判型の幅にわたって延在し、印刷バー１は、頁幅の印刷に用いられる。
【００２１】
各々の印刷ヘッド２に調整装置が対応付けられており、調整装置により、印刷ヘッド２は、これに隣り合う印刷ヘッド２に対して相対的に位置調整することができる。印刷ヘッド２の、調整装置により励起される位置調整運動は、並進運動または回転運動であってよい。
【００２２】
調整装置の、図２に示された実施の形態と図３に示された実施の形態とは、ここで説明する共通点を有する。図２および図３において相互に対応する構成部分には、同一の符号を用いてある。
【００２３】
図２および図３の調整装置は、ホルダ３を有し、ホルダ３内にねじ４が螺入されている。ねじ４は、円錐状部であるテーパ部７を有し、テーパ部７に、中間部材を介して印刷ヘッド２が当て付けられている。ねじ４は、頭部８を有し、頭部８は、ねじ４を、工具を用いずに回すための握りまたは回転つまみとして用いられる。
【００２４】
係止装置９が設けられており、係止装置９は、ばね付勢された押圧部材１１、たとえば球とインデックス凹部とを含む。係止装置９は、多重係止装置である。押圧部材１１は、ねじ４の回しステップのたびに別のインデックス凹部に進入する。したがって、ねじ４は、インデックス凹部ごとに極めて正確にコントロールして回される。インデックス凹部の列は、係止円盤である係止ディスクの周に沿って加工されており、この場合、インデックス凹部は、相互に一定の角度間隔を置いて均等に分配されている。係止ディスクは、ねじ４の頭部８により形成される。
【００２５】
好適には、頭部８は、２つの機能を以て、一方ではねじ４を回すための握りを形成し、他方では係止装置９の係止ディスクを形成する。
【００２６】
インデックス凹部は、溝１０として構成されていて、以下溝１０と称される。溝１０は、長手方向に、ねじ４の回転軸線と平行に延在する。各溝１０は、調整時のねじ４の最大の軸方向の位置調整距離よりも長い。この溝の長さにより、ホルダ３内へのねじ４の螺入の結果生じる距離の差を補整する。どの程度深くねじ４がホルダ３へ螺入されるのかに依存せずに、押圧部材１１は、溝１０内へ進入することができる。
【００２７】
溝１０は、頭部８に加工されていて、したがって頭部８により形成された回転つまみのグリップ性を高めており、これは有利である。
【００２８】
ねじ４の雄ねじ山５と、ホルダ３の、雄ねじ山５が螺入されている雌ねじ山６との間に、ある程度のねじ山の遊びが存在する。このねじ山の遊びを最小化するために、クランプ装置が存在し、クランプ装置は、両方の実施の形態でそれぞれ異なっており、したがって、続いて以下に図２と図３とを相互に個別に説明する。
【００２９】
図２の実施の形態では、クランプ装置は、ホルダ３に形成されたクランプ挟持体またはクランプブッシュ１２を含む。そのために、ホルダ３に、ねじ４の回転軸線と平行に延在するスリット１３が加工されている。スリット１３により、ホルダ３内に加工されていて、ねじ４を収容するための孔の壁部が中断される。スリット１３は、前述の壁の縁に通じる開いた端部を有する。さらに、スリット１３は、閉じた端部を有し、閉じた端部において、スリット幅は円形に拡張されており、これによりある種の折曲げジョイントが形成される。
【００３０】
ばね１４が、クランプブッシュ１２を、ねじ４に対して半径方向に付勢する。ばね１４により、クランプブッシュ１２が押し合わされ、その際、スリット１３の両方の側壁が相互に幾分か近付く。ゆえに雌ねじ山６が、雄ねじ山５の周りに狭まり、これによりねじ山の遊びが最小化される。ばね１４は、その一方の端部でクランプブッシュ１２に支持されていて、その他方の端部でねじ１５に支持されている。このねじ１５は、ねじ４に対して横向きにホルダ３内に螺入されている。ばね１４は、圧縮荷重を加えることが可能なコイルばねであり、ねじ１５の胴部上に嵌められている。ねじ１５を回すことにより、ばね１４のプリロードを調整することができる。
【００３１】
図３の実施の形態によれば、クランプ装置がばね１６により形成されている。ばね１６は、その一方の端部でねじ４の頭部８に支持されていて、他方の端部でホルダ３に支持されている。ばね１６は、圧縮荷重を加えることが可能なコイルばねであって、ねじ４上に嵌められている。ねじ４は、ばね１６を通して差し込まれている。ばね１６は、ねじ４に対して軸方向に作用し、ねじ４をホルダ３から外へ押し出そうとしている。これによりねじ４の雄ねじ山５がホルダ３の雌ねじ山６に押し付けられ、これにより両方のねじ山の間のねじ山の遊びが最小化される。
【００３２】
図３の実施の形態に対する図２の実施の形態の利点によれば、図２の実施の形態では、ばね１４により発生させられるクランプ力が、ねじ４のあらゆる螺入深さにおいて同じ大きさである。
【００３３】
図２の実施の形態２対する図３の実施の形態の利点によれば、図３の実施の形態では、ばね１６を支持するのに必要とされる構成部品がより少ない。というのも、ねじ４の、どのみち存在する胴部が利用されるからである。
【符号の説明】
【００３４】
１  印刷バー
２  印刷ヘッド
３  ホルダ
４  ねじ
５  雄ねじ山
６  雌ねじ山
７  テーパ部
８  頭部
９  係止装置
１０  溝
１１  押圧部材
１２  クランプブッシュ
１３  スリット
１４  ばね
１５  ねじ
１６  ばね
【図１】
0003221875.tif 000003
【図２】
0003221875.tif 000004
【図３】
0003221875.tif 000005
【手続補正書】
【提出日】平成31年4月19日(2019.4.19)
【手続補正１】
【補正対象書類名】実用新案登録請求の範囲
【補正対象項目名】全文
【補正方法】変更
【補正の内容】
【実用新案登録請求の範囲】
【請求項１】
印刷ヘッド（２）を調整する装置であって、
ホルダ（３）と、
テーパ部（７）を有するねじ（４）と、
を備え、
前記ねじ（４）は、前記ホルダ（３）内に螺入されており、前記印刷ヘッド（２）は、前記テーパ部（７）に当て付けられている、装置において、
前記ホルダ（３）には、前記ねじ（４）を収容する孔と、前記ねじ（４）の回転軸線に平行に延在するスリット（１３）とが形成されており、
前記ねじ（４）に対して交差する方向において前記ホルダ（３）に第２のねじ（１５）が螺入されており、
前記交差する方向に圧縮荷重を加えて前記ホルダ（３）と前記ねじ（４）との間のねじ山の遊びが低減されるように、前記第２のねじ（１５）の頭部と前記ホルダ（３）との間で前記第２のねじ（１５）に嵌められたばね（１４）が設けられており、
前記ねじ（４）を回す際のステップ幅が決定されるように、前記頭部（８）に形成された前記ねじ（４）と軸平行に延在する複数の溝（１０）と、前記複数の溝（１０）の各溝に前記ねじ（４）の回しステップのたびに進入するばね付勢された押圧部材（１１）とを備える係止装置（９）が設けられている
ことを特徴とする、印刷ヘッド（２）を調整する装置。
【請求項２】
印刷ヘッド（２）を調整する装置であって、
ホルダ（３）と、
テーパ部（７）を有するねじ（４）と、
を備え、
前記ねじ（４）は、前記ホルダ（３）内に螺入されており、前記印刷ヘッド（２）は、前記テーパ部（７）に当て付けられている、装置において、
前記ホルダ（３）と前記ねじ（４）との間のねじ山の遊びが低減されるように、前記ねじ（４）の頭部（８）と前記ホルダ（３）との間で前記ねじ（４）に嵌められたばね（１６）が設けられており、
前記ねじ（４）を回す際のステップ幅が決定されるように、前記頭部（８）に形成された前記ねじ（４）と軸平行に延在する複数の溝（１０）と、前記複数の溝（１０）の各溝に前記ねじ（４）の回しステップのたびに進入するばね付勢された押圧部材（１１）とを備える係止装置（９）が設けられている
ことを特徴とする、印刷ヘッド（２）を調整する装置。
【請求項３】
前記ばね（１４）は、前記ねじ（４）に対して半径方向に作用することを特徴とする、請求項１記載の装置。
【請求項４】
前記ホルダ（３）は、前記ばね（１４）により付勢されているクランプブッシュ（１２）を有することを特徴とする、請求項３記載の装置。
【請求項５】
前記ばね（１６）は、前記ねじ（４）に関して軸方向に作用することを特徴とする、請求項２記載の装置
【請求項６】
前記ねじ（４）の頭部（８）が、前記係止装置（９）の係止ディスクを形成していることを特徴とする、請求項１から５までのいずれか１項記載の装置。